Podtech/llm-jp-corpus-v4-ja_patent huggingface dataset:
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
Ｌ個のスピーカのために、符号化されたアンビソニックス形式オーディオ信号を復号する方法であって、
少なくとも１つの仮想スピーカの少なくとも１つの仮想位置を前記Ｌ個のスピーカの位置に追加するステップと、
前記Ｌ個のスピーカの位置および前記少なくとも１つの仮想位置に基づいて第一の行列を決定するステップであって、前記第一の行列が前記特定されたスピーカおよび仮想のスピーカの位置に対する係数を有する、ステップと、
第二の行列を決定するステップであって、前記仮想のスピーカの位置に対する係数が重み付けされ、前記特定されたスピーカの位置に関連する係数に分配され、前記特定されたスピーカの位置に対する係数を有する前記第二の行列が取得される、ステップとを含み、
前記仮想のスピーカの位置に対する前記係数が重み係数＝1/√Lに基づいて重み付けされ、Ｌはスピーカの数である、
方法。
【請求項２】
前記第二の行列に基づいて前記符号化されたアンビソニックス形式オーディオ信号を復号して、複数の復号されたスピーカ信号を得ることをさらに含む、請求項１記載の方法。
【請求項３】
フロベニウス・ノルムに基づいて前記第二の行列を正規化して、正規化された行列を決定するステップをさらに含む、請求項１に記載の方法。
【請求項４】
前記Ｌ個のスピーカの位置および音場信号の係数の次数Ｎを特定するステップと、
前記位置に基づいて前記Ｌ個のスピーカが実質的に２Ｄ平面にあると特定するステップと、
仮想のスピーカの前記少なくとも１つの仮想の位置を生成するステップと、
をさらに含む、請求項１に記載の方法。
【請求項５】
前記符号化されたオーディオ信号を帯域通過フィルタを使用して複数の周波数帯域に分離するステップをさらに含み、各周波数帯域に対して１つの、複数の別個の３Ｄ復号行列が生成され、各３Ｄ復号行列はダウンミキシングされ、任意的には別個に正規化される、請求項１に記載の方法。
【請求項６】
Ｌ個のスピーカのために、符号化されたアンビソニックス形式オーディオ信号を復号する装置であって、
少なくとも１つの仮想スピーカの少なくとも１つの仮想位置を前記Ｌ個のスピーカの位置に追加する追加部と、
前記Ｌ個のスピーカの位置および前記少なくとも１つの仮想位置に基づいて第一の行列を決定する第一ユニットであって、前記第一の行列が前記特定されたスピーカおよび仮想のスピーカの位置に対する係数を有する、第一ユニットと、
第二の行列を決定する第二ユニットであって、前記仮想のスピーカの位置に対する係数が重み付けされ、前記特定されたスピーカの位置に関連する係数に分配され、前記特定されたスピーカの位置に対する係数を有する前記第二の行列が取得される、第二ユニットとを備える、
前記仮想のスピーカの位置に対する前記係数が重み係数＝1/√Lに基づいて重み付けされ、Ｌはスピーカの数である、
装置。
【請求項７】
前記第二の行列に基づいて前記符号化されたオーディオ信号を復号して、複数の復号されたスピーカ信号を取得する復号部、
を備える、請求項６記載の装置。
【請求項８】
フロベニウス・ノルムに基づいて前記第二の行列を正規化して、正規化された行列を取得する正規化部をさらに有する、
請求項６記載の装置。
【請求項９】
前記Ｌ個のスピーカの位置および音場信号の係数の次数Ｎを特定する第１の特定部と、
前記位置に基づいて前記Ｌ個のスピーカが実質的に２Ｄ平面にあると特定する第２の特定部と、
仮想のスピーカの前記少なくとも１つの仮想の位置を生成する仮想スピーカ位置生成部と、
をさらに含む、請求項６に記載の装置。
【請求項１０】
帯域通過フィルタを使って前記符号化されたオーディオ信号を複数の周波数帯域に分離するユニットをさらに含み、各周波数帯域に対して１つ、複数の別個の３Ｄ復号行列が生成され、各３Ｄ復号行列は、ダウンミキシングされ、任意的には別個に正規化される、請求項６に記載の装置。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
圧電コアと、
前記圧電コアの上に配置されている複数の電極であって、前記複数の電極が、第１の幅を有する少なくとも１つの入力電極と、前記第１の幅とは異なる第２の幅を有する少なくとも１つの出力電極とを含み、前記複数の電極が、各電極の外側エッジと、前記複数の電極の各電極の外側エッジに実質的に平行である前記圧電コアの外側エッジとの間に異なる張出し距離を有することによって非対称に配置されている、複数の電極と、
前記圧電コアの上にある少なくとも１つの接地端子とを備える共振器。
【請求項２】
前記複数の電極のうちの第１の電極と、前記複数の電極のうちの第２の電極との間にノッチをさらに備える請求項１に記載の共振器。
【請求項３】
前記少なくとも１つの接地端子が複数の別々の接地電極を備える、請求項１に記載の共振器。
【請求項４】
前記少なくとも１つの入力電極および前記少なくとも１つの接地端子が前記圧電コアの１つの表面上にあり、前記少なくとも１つの出力電極および前記少なくとも１つの接地端子が前記圧電コアの反対表面上にある、請求項１に記載の共振器。
【請求項５】
前記少なくとも１つの入力電極および前記少なくとも１つの出力電極が前記圧電コアの１つの表面上にあり、前記少なくとも１つの接地端子が前記圧電コアの反対表面上にある、請求項１に記載の共振器。
【請求項６】
携帯電話、セットトップボックス、音楽プレーヤ、ビデオプレーヤ、エンターテインメントユニット、ナビゲーションデバイス、コンピュータ、ハンドヘルドパーソナル通信システム（ＰＣＳ）ユニット、ポータブルデータユニット、および／または定位置データユニットの中に組み込まれている、請求項１に記載の共振器。
【請求項７】
圧電コアと、
前記圧電コアの上に非対称に配置されている複数の電極であって、前記複数の電極が、前記圧電コアの第１のエッジまで第１の張出し距離を有する外側エッジを備える少なくとも１つの入力電極と、前記圧電コアの第２のエッジから第２の張出し距離を有する外側エッジを備える少なくとも１つの出力電極とを含み、前記第１の張出し距離が前記第２の張出し距離とは異なり、前記第１のエッジおよび前記第２のエッジが反対に位置するエッジである、複数の電極と、
前記圧電コアの上にある少なくとも１つの接地端子とを備える共振器。
【請求項８】
前記複数の電極のうちの第１の電極と、前記複数の電極のうちの第２の電極との間にノッチをさらに備える請求項７に記載の共振器。
【請求項９】
前記少なくとも１つの入力電極および前記少なくとも１つの接地端子が前記圧電コアの１つの表面上にあり、前記少なくとも１つの出力電極および前記少なくとも１つの接地端子が前記圧電コアの反対表面上にある、請求項７に記載の共振器。
【請求項１０】
前記少なくとも１つの入力電極および前記少なくとも１つの出力電極が前記圧電コアの１つの表面上にあり、前記少なくとも１つの接地端子が前記圧電コアの反対表面上にある、請求項７に記載の共振器。
【請求項１１】
携帯電話、セットトップボックス、音楽プレーヤ、ビデオプレーヤ、エンターテインメントユニット、ナビゲーションデバイス、コンピュータ、ハンドヘルドパーソナル通信システム（ＰＣＳ）ユニット、ポータブルデータユニット、および／または定位置データユニットの中に組み込まれる請求項７に記載の共振器。
【請求項１２】
圧電コアと、
前記圧電コアの上に配置されている電気伝導手段であって、前記電気伝導手段が、第１の幅を有する電気伝導入力手段と、前記第１の幅とは異なる第２の幅を有する電気伝導出力手段とを含み、前記電気伝導手段が、各電気伝導手段の外側エッジと、各電気伝導手段の外側エッジに実質的に平行である前記圧電コアの外側エッジとの間に異なる張出し距離を有することによって非対称に配置されている、電気伝導手段と、
前記圧電コアの上に設けられている接地結合手段とを備える共振器。
【請求項１３】
前記電気伝導手段のうちの第１の手段と、前記電気伝導手段のうちの第２の手段との間にノッチをさらに備える請求項１２に記載の共振器。
【請求項１４】
前記接地結合手段が複数の別々の接地電極を備える、請求項１２に記載の共振器。
【請求項１５】
前記電気伝導入力手段のうちの少なくとも１つおよび前記接地結合手段のうちの少なくとも１つが前記圧電コアの１つの表面上にあり、前記電気伝導出力手段のうちの少なくとも１つおよび前記接地結合手段のうちの少なくとも１つが前記圧電コアの反対表面上にある、請求項１２に記載の共振器。
【請求項１６】
前記電気伝導入力手段のうちの少なくとも１つおよび前記電気伝導出力手段のうちの少なくとも１つが前記圧電コアの１つの表面上にあり、前記接地結合手段のうちの少なくとも１つが前記圧電コアの反対表面上にある、請求項１２に記載の共振器。
【請求項１７】
携帯電話、セットトップボックス、音楽プレーヤ、ビデオプレーヤ、エンターテインメントユニット、ナビゲーションデバイス、コンピュータ、ハンドヘルドパーソナル通信システム（ＰＣＳ）ユニット、ポータブルデータユニット、および／または定位置データユニットの中に組み込まれている請求項１２に記載の共振器。
【請求項１８】
圧電コアと、
前記圧電コアの上に非対称に配置されている電気伝導手段であって、前記電気伝導手段が、前記圧電コアの第１のエッジまで第１の張出し距離を有する外側エッジを備える電気伝導入力手段と、前記圧電コアの第２のエッジから第２の張出し距離を有する外側エッジを備える電気伝導出力手段とを含み、前記第１の張出し距離が前記第２の張出し距離とは異なり、前記第１のエッジおよび前記第２のエッジが反対に位置するエッジである、電気伝導手段と、
前記圧電コアの上にある接地結合手段とを備える共振器。
【請求項１９】
前記電気伝導手段のうちの第１の手段と、前記電気伝導手段のうちの第２の手段との間にノッチをさらに備える請求項１８に記載の共振器。
【請求項２０】
前記電気伝導入力手段のうちの少なくとも１つおよび前記接地結合手段のうちの少なくとも１つが前記圧電コアの１つの表面上にあり、前記電気伝導出力手段のうちの少なくとも１つおよび前記接地結合手段のうちの少なくとも１つが前記圧電コアの反対表面上にある、請求項１８に記載の共振器。
【請求項２１】
前記電気伝導入力手段のうちの少なくとも１つおよび前記電気伝導出力手段のうちの少なくとも１つが前記圧電コアの１つの表面上にあり、前記接地結合手段のうちの少なくとも１つが前記圧電コアの反対表面上にある、請求項１８に記載の共振器。
【請求項２２】
携帯電話、セットトップボックス、音楽プレーヤ、ビデオプレーヤ、エンターテインメントユニット、ナビゲーションデバイス、コンピュータ、ハンドヘルドパーソナル通信システム（ＰＣＳ）ユニット、ポータブルデータユニット、および／または定位置データユニットの中に組み込まれている請求項１８に記載の共振器。
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
モバイル多機能セルラーデバイスであって、
第1の使い捨てセンサカードを収容するための前記モバイル多機能セルラーデバイスによって画定される開口であって、前記第1の使い捨てセンサカードは第1の使い捨てセンサを備える開口と、
前記開口に結合されたインターフェースとを備え、前記インターフェースは、
それぞれに異なる感知機能を有する複数の種類の使い捨てセンサカードを収容することと、
前記第1の使い捨てセンサカードの少なくとも一部に関連するアナログ情報を検出することであって、前記アナログ情報を検出することは、前記第1の使い捨てセンサカードの少なくとも一部における非一時的変化を検出することを含むことと、
前記アナログ情報をデジタル情報に変換することとを行うように構成されるモバイル多機能セルラーデバイス。
【請求項２】
前記第1の使い捨てセンサカードは取外し可能である、請求項1に記載のモバイル多機能セルラーデバイス。
【請求項３】
前記モバイル多機能セルラーデバイスは、前記第1の使い捨てセンサカードと第2の使い捨てセンサカードを一度に収容するように構成され、前記第1の使い捨てセンサカードは、前記第2の使い捨てセンサカードとは異なる感知特性を有する、請求項1に記載のモバイル多機能セルラーデバイス。
【請求項４】
前記第1の使い捨てセンサカードは、前記第1の使い捨てセンサと第2の使い捨てセンサとを備え、前記第1の使い捨てセンサと前記第2の使い捨てセンサは異なる感知特性を有する、請求項1に記載のモバイル多機能セルラーデバイス。
【請求項５】
前記インターフェースは、前記第1の使い捨てセンサカードに関連する第1の識別子を検出するようにさらに構成され、
前記モバイル多機能セルラーデバイスにおける前記インターフェースに結合されたプロセッサは、少なくとも部分的に前記検出された第1の識別子に基づいて前記アナログ情報を処理するように構成される、請求項1に記載のモバイル多機能セルラーデバイス。
【請求項６】
前記第1の使い捨てセンサカードの少なくとも前記一部は、前記第1の使い捨てセンサカードの環境からの1つまたは複数の刺激にさらされることに応答して変化する、請求項1に記載のモバイル多機能セルラーデバイス。
【請求項７】
前記非一時的変化は、色の変化、形状の変化、化学組成の変化、または電気的特性の変化のうちの1つまたは複数を含む、請求項6に記載のモバイル多機能セルラーデバイス。
【請求項８】
前記第1の使い捨てセンサは、圧力センサ、湿度センサ、温度センサ、放射線センサ、光センサ、または化学センサのうちの1つまたは複数である、請求項1に記載のモバイル多機能セルラーデバイス。
【請求項９】
前記アナログ情報を前記デジタル情報に変換することは、前記第1の使い捨てセンサに関連する色を検出することと、前記色の情報をプロセッサによってさらに処理するために前記デジタル情報に変換することとを含む、請求項1に記載のモバイル多機能セルラーデバイス。
【請求項１０】
前記第1の使い捨てセンサの感知材料をさらに備え、前記感知材料の後段において、前記第1の使い捨てセンサに関連する色を検出するための少なくとも1つの光学フィルタが、光源と光検出器との間の光路に位置する、請求項9に記載のモバイル多機能セルラーデバイス。
【請求項１１】
前記第1の使い捨てセンサカードは、1回使用した後で劣化する、請求項1に記載のモバイル多機能セルラーデバイス。
【請求項１２】
前記第1の使い捨てセンサカードは、前記第1の使い捨てセンサカード上にデジタルプロセッサもアナログデジタル変換器も有さない、請求項1に記載のモバイル多機能セルラーデバイス。
【請求項１３】
モバイル多機能セルラーデバイスにおいて、前記モバイル多機能セルラーデバイスに結合されたインターフェースにおいて第1の種類の使い捨てセンサカードを検出するステップであって、前記インターフェースは、それぞれに異なる感知機能を有する複数の種類の使い捨てセンサカードを収容するように構成され、前記使い捨てセンサカードは、前記モバイル多機能セルラーデバイスによって画定された開口の内部に配置されるステップと、
前記モバイル多機能セルラーデバイスにおいて、前記使い捨てセンサカードに関連するアナログ情報を検出するステップであって、前記アナログ情報を検出するステップは、前記使い捨てセンサカードの少なくとも一部における非一時的変化を検出するステップを含むステップと、
前記モバイル多機能セルラーデバイスにおいて、前記アナログ情報をデジタル情報に変換するステップと
を含む方法。
【請求項１４】
モバイル多機能セルラーデバイスのプロセッサによって実行可能な命令を含む非一時的コンピュータ可読記憶媒体であって、前記命令は、
前記モバイル多機能セルラーデバイスに結合されたインターフェースにおいて第1の種類の使い捨てセンサカードを検出することであって、前記インターフェースは、それぞれに異なる感知機能を有する複数の種類の使い捨てセンサカードを収容するように構成され、前記使い捨てセンサカードは、前記モバイル多機能セルラーデバイスによって画定された開口の内部に配置されることと、
前記使い捨てセンサカードに関連するアナログ情報を検出することであって、前記アナログ情報を検出することは、前記使い捨てセンサカードの少なくとも一部における非一時的変化を検出することを含むことと、
前記アナログ情報をデジタル情報に変換することと
を行うための命令を含む非一時的コンピュータ可読記憶媒体。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
式
Ｇ−Ａｒｙｌ−ＮＨ２
のガングリオシド炭水化物であって、式中、Ｇが、１つまたは複数のシアル酸を含むオリゴ糖であり、前記Ｇが、Ｃ１アノマー酸素原子によりアリールと共有結合しており、Ａｒｙｌが、任意に置換されたＣ６〜Ｃ１０アリールである、ガングリオシド炭水化物。
【請求項２】
式
【化１】
2016539172.tif 000001
を有する、請求項１に記載のガングリオシド炭水化物。
【請求項３】
式
【化２】
2016539172.tif 000002
2016539172.tif 000003
を有する、請求項１に記載のガングリオシド炭水化物。
【請求項４】
多量体コア分子と共有結合した少なくとも１つまたは少なくとも２つの炭水化物ガングリオシド類似体を含む、ガングリオシド炭水化物多量体。
【請求項５】
請求項１に記載のガングリオシド炭水化物からなる少なくとも１つまたは少なくとも２つの炭水化物ガングリオシド類似体を含む、請求項４に記載のガングリオシド炭水化物多量体。
【請求項６】
前記少なくとも２つの炭水化物ガングリオシド類似体が、少なくとも１つのＧＤ２炭水化物ガングリオシド類似体または少なくとも１つのＧＤ３炭水化物ガングリオシド類似体を含む、請求項４または５に記載のガングリオシド炭水化物多量体。
【請求項７】
前記ガングリオシド炭水化物多量体が、前記炭水化物ガングリオシド類似体の四量体である、請求項４〜６のいずれか１項に記載のガングリオシド炭水化物多量体。
【請求項８】
前記少なくとも１つまたは少なくとも２つの炭水化物ガングリオシド類似体が、ＧＤ２、ＧＤ３、ＧＭ２及びＧＴ１ｂのうちの少なくとも１つの類似体である、請求項４に記載のガングリオシド炭水化物多量体。
【請求項９】
式
【化３】
2016539172.tif 000004
を有し、式中、Ａｒｙｌが、任意に置換されたＣ６〜Ｃ１０アリールであり；ＸがＯまたはＳであり、Ｇが
【化４】
2016539172.tif 000005
である、請求項４に記載のガングリオシド炭水化物多量体。
【請求項１０】
腫瘍に対して免疫原性である、請求項１〜３のいずれか１項に記載のガングリオシド炭水化物または請求項４〜９のいずれか１項に記載のガングリオシド炭水化物多量体。
【請求項１１】
癌を予防または治療するための、請求項１〜１０のいずれか１項に記載のガングリオシド炭水化物またはガングリオシド炭水化物多量体。
【請求項１２】
前記癌が、ガングリオシド陽性の癌である、請求項１１に記載のガングリオシド炭水化物またはガングリオシド炭水化物多量体。
【請求項１３】
請求項１〜１２のいずれか１項に記載のガングリオシド炭水化物またはガングリオシド炭水化物多量体と特異的に結合する、抗体。
【請求項１４】
モノクローナル抗体、ポリクローナル抗体またはヒト化抗体である、請求項１３に記載の抗体。
【請求項１５】
癌を予防または治療するための医薬組成物であって、請求項１３または１４に記載の抗体を含むことを特徴とする医薬組成物。
【請求項１６】
前記癌が、ガングリオシド陽性の癌である、請求項１５に記載の医薬組成物。
【請求項１７】
請求項１〜１２のいずれか１項に記載のガングリオシド炭水化物またはガングリオシド炭水化物多量体と、担体とを含むことを特徴とする、ワクチン。
【請求項１８】
癌を予防または治療するための、請求項１７に記載のワクチン。
【請求項１９】
癌を予防または治療するための医薬組成物であって、請求項１〜１２のいずれか１項に記載のガングリオシド炭水化物またはガングリオシド炭水化物多量体を含むことを特徴とする医薬組成物。
【請求項２０】
前記癌が、ガングリオシド陽性の癌である、請求項１９に記載の医薬組成物。
【請求項２１】
前記癌が、神経芽腫、メラノーマまたは神経膠腫である、請求項１９または２０に記載の医薬組成物。
【請求項２２】
前記癌が、乳癌または小細胞肺癌である、請求項１９〜２１のいずれか１項に記載の医薬組成物。
【請求項２３】
免疫原性応答を誘発するための医薬組成物であって、請求項１〜１２のいずれか１項に記載のガングリオシド炭水化物またはガングリオシド炭水化物多量体を含むことを特徴とする医薬組成物。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
４−メチルスルホニル−２−ブテンニトリルの化合物又はその医薬上許容される塩。
【請求項２】
医薬上許容される担体、及び、請求項１記載の化合物又はその医薬上許容される塩を含む、医薬組成物。
【請求項３】
前記化合物は少なくとも９０％（ｗ／ｗ）の純度を有し、そして前記組成物はゲル、クリーム、ローション、軟膏、溶液、懸濁液、スプレイ又はパッチの局所形態である、請求項１に記載の医薬組成物。
【請求項４】
前記医薬上許容される担体は、乳酸ラウリル、ジエチレングリコールモノエチルエーテル、カプリル／カプリン酸トリグリセリド、サリチル酸オクチル（octisalate）、シリコーン流体、スクアレン及びヒマワリ油からなる群より選ばれる皮膚軟化剤である、請求項３に記載の医薬組成物。
【請求項５】
前記医薬上許容される担体は、ジエチレングリコールモノエチルエーテルである、請求項２に記載の医薬組成物。
【請求項６】
アクリレート／Ｃ１０〜３０アルキル及びトリス（２−ヒドロキシエチル）アミンをさらに含む、請求項５に記載の医薬組成物。
【請求項７】
前記化合物は少なくとも９０％（ｗ／ｗ）の純度を有し、前記組成物は錠剤、カプセル剤、顆粒剤、散剤又はシロップ剤の経口形態である、請求項２に記載の医薬組成物。
【請求項８】
炎症又は疼痛を治療するための、炎症又は疼痛を治療するのに有効な量で請求項１に記載の化合物又はその医薬上許容される塩を含む医薬組成物。
【請求項９】
急性もしくは慢性の腫大、疼痛又は発赤を特徴とする炎症の局所症状の徴候を低減又は緩和するための、請求項８に記載の医薬組成物。
【請求項１０】
前記炎症及び/又は疼痛は、筋骨格捻挫、筋骨格挫傷、腱障害、末梢神経根症、骨関節炎、関節変性疾患、若年性関節炎、痛風、強直性脊椎炎、乾癬性関節炎、全身性エリテマトーデス、肋軟骨炎、腱炎、滑液包炎、顎関節症候群及び線維筋痛症からなる群より選ばれる骨格又は筋肉疾患又は病態に関連している、請求項８に記載の医薬組成物。
【請求項１１】
前記炎症及び/又は疼痛は、関節、靭帯、腱、骨、筋肉、又は筋膜に関連している、請求項８に記載の医薬組成物。
【請求項１２】
前記炎症及び/又は疼痛は、皮膚炎又は乾癬の炎症性皮膚疾患又は障害に関連している、請求項８に記載の医薬組成物。
【請求項１３】
ナトリウムメタンスルフィネートを４−ブロモ−２−ブテンニトリルと反応させることを含む、４−メチルスルホニル−２−ブテンニトリルの調製方法。
【請求項１４】
臭素Ｂｒ２をシアン化アリルと反応させ、及び
塩基性溶液を添加することによって、４−ブロモ−２−ブテンニトリルを調製することをさらに含む、請求項１３に記載の方法。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
式（Ｉ）の化合物
【化２】
2016539149.tif 000001
またはその薬学的に許容される塩を含む、増殖性疾患を治療または予防するための医薬組成物であって、前記医薬組成物が、少なくとも２つの５日連続サイクル中に式（Ｉ）の前記化合物またはその薬学的に許容される塩の約１００ｍｇ〜約４５０ｍｇの１日用量で患者に経口投与され、前記医薬組成物が、１つの５日連続サイクルとその次の５日連続サイクルとの間の約２日から約３日間、前記患者に投与されない、医薬組成物。
【請求項２】
式（Ｉ）の前記化合物またはその薬学的に許容される塩の１日用量が、約２００ｍｇ〜約４００ｍｇである、請求項１に記載の医薬組成物。
【請求項３】
式（Ｉ）の前記化合物またはその薬学的に許容される塩が、少なくとも２つの５日連続サイクル中に約１００ｍｇ〜約４５０ｍｇの１日用量で１日１回（ｑ．ｄ．）経口投与される、請求項１に記載の医薬組成物。
【請求項４】
式（Ｉ）の前記化合物またはその薬学的に許容される塩が、少なくとも２つの５日連続サイクル中に約１００ｍｇ〜約４５０ｍｇの１日用量で１日２回（ｂ．ｉ．ｄ．）経口投与される、請求項１に記載の医薬組成物。
【請求項５】
前記化合物またはその薬学的に許容される塩が、１つの５日連続サイクルとその次の５日連続サイクルとの間の約２日の期間、前記患者に投与されない、請求項２〜４のいずれか１項に記載の医薬組成物。
【請求項６】
前記化合物またはその薬学的に許容される塩が、１つの５日連続サイクルにおける前記化合物またはその薬学的に許容される塩の最後の投与と、その次の５日連続サイクルにおける前記化合物またはその薬学的に許容される塩の最初の投与との間の約３日の期間、前記患者に投与されない、請求項３に記載の医薬組成物。
【請求項７】
前記化合物またはその薬学的に許容される塩が、１つの５日連続サイクルにおける前記化合物またはその薬学的に許容される塩の最後の投与と、その次の５日連続サイクルにおける前記化合物またはその薬学的に許容される塩の最初の投与との間の約２．５日の期間、前記患者に投与されない、請求項４に記載の医薬組成物。
【請求項８】
式（Ｉ）の前記化合物またはその薬学的に許容される塩が、前記患者において少なくとも１つの副作用の重症度、発生率、または頻度が解消、軽減または緩和されるまで、２つ以上の前記５日連続サイクルで投与される、請求項１に記載の医薬組成物。
【請求項９】
前記副作用が、好中球減少、ビリルビン値上昇、心毒性、不安定狭心症、心筋梗塞、持続性高血圧、末梢性感覚または運動ニューロパチー／疼痛、肝機能障害、赤血球数および／または白血球数の減少、高血糖、吐き気、食欲減退、下痢、皮疹（例えば、斑状丘疹性、ざ瘡様など）および過敏症（例えば、あざができやすい）、光線過敏症、無力／疲労、嘔吐、口内炎、口腔粘膜炎、膵炎、味覚障害、ならびに消化不良から選択される状態である、請求項８に記載の医薬組成物。
【請求項１０】
前記増殖性疾患が、癌である、請求項１に記載の医薬組成物。
【請求項１１】
前記増殖性疾患が、肺癌、気管支癌、前立腺癌、乳癌（散発性乳癌、およびカウデン病患者を含む）、結腸癌、直腸癌、大腸癌、結腸直腸腺腫、膵臓癌、胃腸癌、肝細胞癌、胃癌（stomach）、胃癌（gastric）、卵巣癌、扁平上皮癌、および頭頸部癌から選択される癌である、請求項１に記載の医薬組成物。
【請求項１２】
式（Ｉ）の前記化合物またはその薬学的に許容される塩が、少なくとも１種の追加の治療剤と組み合わせて投与される、請求項１に記載の医薬組成物。
【請求項１３】
約１００ｍｇ〜約４５０ｍｇの１日用量の式（Ｉ）の化合物またはその薬学的に許容される塩及び１種または複数の薬学的に許容される賦形剤を含む請求項１に記載の医薬組成物を含むパッケージであって、前記医薬組成物を少なくとも２つの５日連続サイクル中に経口投与し、前記組成物を１つの５日連続サイクルとその次の５日連続サイクルとの間の約２日から約３日の期間投与しないための使用説明書を組み合わせて含む、パッケージ。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
酸性触媒の存在下で、対応するアルコールによる（メタ）アクリル酸のエステル化によってメチル（メタ）アクリレートまたはエチル（メタ）アクリレートを合成する方法であって、エステル化反応は、１．０５から４の間の酸／アルコールのモル比で、大気圧から５バールの範囲の圧力で、３０分から１時間の間の反応を受ける流れの滞留時間で、反応器内で行われることを特徴とする方法。
【請求項２】
エステル化反応は、１．０５から３の間の酸／アルコールのモル比で行われることを特徴とする請求項１に記載の方法。
【請求項３】
酸／アルコールのモル比が１．５から３の間であることを特徴とする請求項１または２に記載の方法。
【請求項４】
圧力が大気圧から３バールの範囲であることを特徴とする請求項１から３のいずれか一項に記載の方法。
【請求項５】
酸がアクリル酸であることを特徴とする請求項１から４のいずれか一項に記載の方法。
【請求項６】
アルコールがエタノールであることを特徴とする請求項１から５のいずれか一項に記載の方法。
【請求項７】
反応温度が６０℃から９０℃の間であることを特徴とする請求項１から６のいずれか一項に記載の方法。
【請求項８】
反応器が固定床反応器または撹拌反応器であることを特徴とする請求項１から７のいずれか一項に記載の方法。
【請求項９】
反応器に供給する流れを脱水する少なくとも１つの工程を含むことを特徴とする請求項１から８のいずれか一項に記載の方法。
【請求項１０】
脱水工程は、新しいアルコール供給流、未反応のアルコールのためのリサイクル流、または未反応の酸のためのリサイクル流の少なくとも１つに適用されることを特徴とする請求項９に記載の方法。
【請求項１１】
脱水工程は、膜分離によって、蒸留によって、または圧力スイング吸着によって実行されることを特徴とする請求項９または１０に記載の方法。
【請求項１２】
酸性触媒の存在下で、対応するアルコールによる（メタ）アクリル酸のエステル化によってメチル（メタ）アクリレートまたはエチル（メタ）アクリレートを合成する方法であって、以下の工程：
ａ）  反応器に（メタ）アクリル酸、酸性触媒およびアルコールを供給し、請求項１から１０のいずれか一項で定義されたように反応器内でエステル化反応させる工程；
ｂ）  反応器出口でメチル（メタ）アクリレートまたはエチル（メタ）アクリレートの流れを引き出す工程；
ｃ）  メチル（メタ）アクリレートまたはエチル（メタ）アクリレートの流れを蒸留して、頂部で重質副生成物および未反応（メタ）アクリル酸が激減した（メタ）アクリレートの流れを、底部で重質副生成物、未反応（メタ）アクリル酸ならびに微量のアルコールおよび軽質生成物を含む流れを、分離することを可能にする工程；
ｄ）  工程ｃ）で得られた底部流れを、反応器にリサイクルされる未反応（メタ）アクリル酸ならびに微量のアルコールおよび軽質生成物を含む流れと、工程ｄ）に戻される回収可能な価値を有する生成物の流れを放出する熱分解に供される重質副生成物の流れとに分離する工程；
ｅ）  工程ｃ）で得られた頂部流れを、水性流れで液体−液体抽出し、メチル（メタ）アクリレートまたはエチル（メタ）アクリレートの精製された有機相と水相とに分離することを可能とし、水相は蒸留され、一方で反応器にリサイクルされるアルコールが豊富な画分と、他方で液体−液体抽出工程における水性流れとして使用される水が豊富な画分とを回収される工程；
ｆ）  場合により、工程ａ）からのアルコール供給物、工程ｄ）で得られた未反応（メタ）アクリル酸を含む流れ、または工程ｅ）で得られたアルコールが豊富な蒸留画分の少なくとも１つを脱水する工程
を含むことを特徴とする方法。
【請求項１３】
追加の有機化合物を除去するために、メチル（メタ）アクリレートまたはエチル（メタ）アクリレートの精製された有機相を蒸留する１つ以上の工程も含む、請求項１２に記載の方法。
【請求項１４】
脱水工程は、膜分離によって、蒸留によって、または圧力スイング吸着によって実行されることを特徴とする請求項１２または１３に記載の方法。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
官能化ポリマーを調製するための方法であって、
（ｉ）モノマーを重合して反応性ポリマーを形成するステップと、
（ｉｉ）前記反応性ポリマーを、シアノ基を含むイミン化合物と反応させるステップと、を含み、
前記シアノ基を含むイミン化合物は、式Ｉによって規定され、
【化１】
2016539199.tif 000001
式中、Ｒ１は水素原子若しくは一価の有機基であり、Ｒ２は結合若しくは二価の有機基であり、Ｒ３は一価の有機基であり、又はＲ１及びＲ２は結合して三価の有機基を形成するか、又は、
前記シアノ基を含むイミン化合物は、式ＩＩによって規定され、
【化２】
2016539199.tif 000002
式中、Ｒ４及びＲ５はそれぞれ独立に水素原子若しくは一価の有機基であり、Ｒ２は結合若しくは二価の有機基であり、又はＲ４及びＲ５は結合して二価の有機基を形成する、方法。
【請求項２】
前記シアノ基を含むイミン化合物は、式ＩＩＩによって規定され、
【化３】
2016539199.tif 000003
式中、Ｒ３は一価の有機基であり、Ｒ６は三価の有機基である、請求項１に記載の方法。
【請求項３】
前記シアノ基を含むイミン化合物は、式ＩＶによって規定され、
【化４】
2016539199.tif 000004
式中、Ｒ２は結合又は二価の有機基であり、Ｒ７は二価の有機基である、請求項１に記載の方法。
【請求項４】
Ｒ１、Ｒ２、Ｒ３、Ｒ４、及びＲ５は複素環基が無い、請求項１に記載の方法。
【請求項５】
Ｒ３及びＲ６は複素環基が無い、請求項２に記載の方法。
【請求項６】
Ｒ２及びＲ７は複素環基が無い、請求項３に記載の方法。
【請求項７】
前記モノマーには共役ジエンモノマーが含まれ、前記重合するステップは配位触媒を用いるか又は、アニオン性開始剤を用いる、請求項１に記載の方法。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
癌患者に投与される抗腫瘍薬処置に対するアジュバントとしての使用のための、エンテロコッカス・ヒラエ、ラクトバチルス・ジョンソニー、セグメント細菌（ＳＦＢ）、ポルフィロモナス、バーンシエラ、ホールデマニア、及びその混合物から成る群から選択される細菌を含むプロバイオティクス組成物。
【請求項２】
前記組成物がエンテロコッカス・ヒラエを含み、さらに、ポルフィロモナス、バーンシエラ、及びホールデマニアから成る群から選択される少なくとも１つの菌株を含む、請求項１に記載の使用のための、請求項１に記載のプロバイオティクス組成物。
【請求項３】
前記組成物がラクトバチルス・ジョンソニー株をさらに含む、請求項１に記載の使用のための、請求項１又は２に記載のプロバイオティクス組成物。
【請求項４】
前記エンテロココッカス・ヒラエ菌株が、番号Ｉ−４８１５として、２０１３年１１月７日にCollection Nationale de Cultures de Microorganismes（ＣＮＣＭ）に寄託された菌株である、請求項１に記載の使用のための、請求項１〜３のいずれか１項に記載のプロバイオティクス組成物。
【請求項５】
前記プロバイオティクス組成物が経口投与のために処方される、請求項１に記載の使用のための、請求項１〜４のいずれか１項に記載のプロバイオティクス組成物。
【請求項６】
前記プロバイオティクス組成物が、処置を必要としている患者に抗腫瘍薬処置の投与後に投与される、請求項１に記載の使用のための、請求項１〜５のいずれか１項に記載のプロバイオティクス組成物。
【請求項７】
前記抗腫瘍薬処置が化学療法薬による処置である、請求項１又は請求項６に記載の使用のための、請求項１〜５のいずれか１項に記載のプロバイオティクス組成物。
【請求項８】
前記抗腫瘍薬処置が、ワクチンアジュバントとしての化学療法薬を伴った抗癌ワクチンである、請求項１又は請求項６に記載の使用のための、請求項１〜５のいずれか１項に記載のプロバイオティクス組成物。
【請求項９】
前記化学療法薬がシクロホスファミド（ＣＴＸ）である、請求項７又は請求項８に記載の使用のための、請求項１〜５のいずれか１項に記載のプロバイオティクス組成物。
【請求項１０】
前記患者が、前記プロバイオティクス組成物中に存在する種の低出現を伴う微生物叢失調を患っている、請求項１及び６〜９のいずれか１項に記載の使用のための、請求項１〜５のいずれか１項に記載のプロバイオティクス組成物。
【請求項１１】
請求項１及び６〜１０のいずれか１項に記載の使用のための、請求項１〜５のいずれか１項に記載のプロバイオティクス組成物であって、当該プロバイオティクス組成物が、処置を必要としている患者に広域スペクトルの抗生物質の処置後に投与される、組成物。
【請求項１２】
癌患者に投与される抗腫瘍薬処置に対するアジュバントとしての使用のための、エンテロコッカス・ヒラエ、ラクトバチルス・ジョンソニー、エンテロコッカス・フェカリス、セグメント細菌（ＳＦＢ）、ポルフィロモナス、バーンシエラ、ホールデマニア、及びその混合物から成る群から選択される細菌の断片を含む免疫原性組成物。
【請求項１３】
前記組成物がエンテロコッカス・ヒラエの断片を含み、さらに、ポルフィロモナス、バーンシエラ、及びホールデマニアから成る群から選択される少なくとも１つの菌株の断片を含む、請求項１２に記載の使用のための、請求項１２に記載の免疫原性組成物。
【請求項１４】
前記エンテロココッカス・ヒラエ菌株が、番号Ｉ−４８１５として、２０１３年１１月７日にCollection Nationale de Cultures de Microorganismes（ＣＮＣＭ）に寄託された菌株である、請求項１２に記載の使用のための、請求項１２又は１３に記載の免疫原性組成物。
【請求項１５】
前記組成物が皮下又は筋肉内投与のために処方される、請求項１２に記載の使用のための、請求項１２〜１４のいずれか１項に記載の免疫原性組成物。
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
ａ）メチル基の供与体および少なくとも１種の薬剤的に許容可能な賦形剤を含有するコアと、
ｂ）セラックおよび／またはその薬剤的に許容可能な塩、ステアリン酸マグネシウム、ならびに少なくとも１種の薬剤的に許容可能な賦形剤を含有する外側コーティングと、
を含む、徐放性固体経口栄養補助食品のおよび／または医薬の組成物であって、
前記セラックおよび／またはその薬剤的に許容可能な塩は、組成物の全重量に対して、０．５重量％〜１０重量％の量で組成物中に存在しており、ステアリン酸マグネシウムは、組成物の全重量に対して、０．１重量％〜２重量％の量で組成物中に存在していることを特徴とする、徐放性固体経口栄養補助食品のおよび／または医薬の組成物。
【請求項２】
ａ）メチル基の供与体および少なくとも１種の薬剤的に許容可能な賦形剤を含有するコアと、
ｂ）セラックおよび／またはその薬剤的に許容可能な塩、ステアリン酸マグネシウム、ならびに少なくとも１種の薬剤的に許容可能な賦形剤を含有する外側コーティングとからなることを特徴とする、請求項１に記載の組成物。
【請求項３】
前記外側コーティングは、胃耐性コーティングであることを特徴とする、請求項１または２に記載の組成物。
【請求項４】
前記メチル基の供与体は、ＳＡＭｅもしくはその薬剤的に許容可能な塩、トリメチルグリシン、ビタミンＢ１２、フォレート、還元型フォレートまたはこれらの混合物から選択され、好ましくは、ＳＡＭｅ、その薬剤的に許容可能な塩、還元型フォレートまたはこれらの混合物から選択されることを特徴とする、請求項１から３のいずれか１項に記載の組成物。
【請求項５】
前記ＳＡＭｅの薬剤的に許容可能な塩は、Ｓ−アデノシルメチオニンスルフェートｐ−トルエンスルホネート、Ｓ−アデノシルメチオニン１，４−ブタンジスルホネート、Ｓ−アデノシルメチオニンスルフェート、Ｓ−アデノシルメチオニントシレートおよびＳ−アデノシルメチオニンフィテートから選択され、好ましくは、スルフェートｐ−トルエンスルホネートまたは１，４−ブタンジスルホネートであることを特徴とする、請求項４に記載の組成物。
【請求項６】
前記還元型フォレートは、（６Ｓ）−５−メチルテトラヒドロ葉酸またはその薬剤的に許容可能な塩から選択され、好ましくは（６Ｓ）−５−メチルテトラヒドロ葉酸の塩であり、より好ましくは、（６Ｓ）−５−メチルテトラヒドロ葉酸のグルコサミン塩であることを特徴とする、請求項４に記載の組成物。
【請求項７】
前記セラックの塩は、アルギニン塩、アンモニウム塩、ホウ素塩およびカリウム塩から選択され、好ましくは、アルギニン塩であることを特徴とする、請求項１または２に記載の組成物。
【請求項８】
前記セラックおよび／またはその薬剤的に許容可能な塩は、溶液の形をとり、好ましくは水溶液の形をとり、またはアルコール溶液の形をとり、より好ましくは水溶液の形をとることを特徴とする、請求項１から７のいずれか１項に記載の組成物。
【請求項９】
ＳＡＭｅおよび／またはその薬剤的に許容可能な塩は、組成物の全重量に対して５０重量％〜９０重量％、好ましくは６０重量％〜８５重量％の量で本発明の組成物中に存在していることを特徴とする、請求項１から８のいずれか１項に記載の組成物。
【請求項１０】
前記セラックおよび／またはその薬剤的に許容可能な塩は、組成物の全重量に対して、１重量％〜５重量％の量で本発明の組成物中に存在していることを特徴とする、請求項１から９のいずれか１項に記載の組成物。
【請求項１１】
ステアリン酸マグネシウムは、組成物の全重量に対して、０．２重量％〜１重量％の量で本発明の組成物中に存在していることを特徴とする、請求項１から１０のいずれか１項に記載の組成物。
【請求項１２】
前記固体経口の形態は、直接混合物、錠剤、カプセルおよび顆粒から選択され、好ましくは錠剤であることを特徴とする、請求項１から１１のいずれか１項に記載の組成物。
【請求項１３】
徐放性固体経口栄養補助食品のおよび／または医薬の組成物を調製するための方法であって、下記のステップ：
ａ）メチル基の供与体またはその薬剤的に許容可能な塩を少なくとも１種の薬剤的に許容可能な賦形剤と混合するステップと、
ｂ）ステップａ）で得られた混合物を予備圧縮し、その後造粒するステップと、
ｃ）ステップｂ）で得られた造粒された材料と少なくとも１種の薬剤的に許容可能な賦形剤とを混合するステップと、
ｄ）ステップｃ）で得られた固体経口形態を、セラックおよび／またはその薬剤的に許容可能な塩、ステアリン酸マグネシウム、ならびに少なくとも１種の薬剤的に許容可能な賦形剤を含有する水相でフィルムコーティングするステップと、
を含み、
前記セラックおよび／またはその薬剤的に許容可能な塩は、組成物の全重量に対して、０．５重量％〜１０重量％の量で組成物中に存在しており、ステアリン酸マグネシウムは、組成物の全重量に対して、０．１重量％〜２重量％の量で組成物中に存在していることを特徴とする、方法。
【請求項１４】
前記フィルムコーティングのステップｄ）の間、前記固体経口形態が、３０℃〜６０℃、好ましくは４０℃〜５５℃の温度で、より好ましくは約４８℃で維持されることを特徴とする、請求項１３に記載の方法。
【請求項１５】
前記温度は、１０分〜２時間の時間、より好ましくは約１時間維持されることを特徴とする、請求項１４に記載の方法。
【請求項１６】
メチル基の供与体、好ましくはＳＡＭｅまたは還元型フォレートの放出を延ばすための、固体経口形態における、セラックもしくはその薬剤的に許容可能な塩ならびにステアリン酸マグネシウムを含む外側コーティングの使用であって、前記外側コーティングは、前記セラックおよび／またはその薬剤的に許容可能な塩が、組成物の全重量に対して、０．５重量％〜１０重量％の量で組成物中に存在しており、ステアリン酸マグネシウムが、組成物の全重量に対して、０．１重量％〜２重量％の量で組成物中に存在していることを特徴とする、使用。
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
ＩＬ−２を併用して投与することなく患者に投与される、患者におけるＧＤ２陽性がんの処置における使用のための、キメラまたはヒト化抗ＧＤ２抗体を含む、医薬組成物。
【請求項２】
抗ＧＤ２抗体が１日につき２４時間、持続点滴として患者に投与される、請求項１に記載の医薬組成物。
【請求項３】
抗ＧＤ２抗体の投与の前、同時、および/または後で、患者が１回以上レチノイドで処置される、請求項１または２に記載の医薬組成物。
【請求項４】
患者が同じ処置サイクル内で、レチノイドにより処置される、請求項３に記載の医薬組成物。
【請求項５】
抗ＧＤ２抗体が１４.１８抗体である、請求項１〜４のいずれか一項に記載の医薬組成物。
【請求項６】
抗ＧＤ２抗体がｃｈ１４.１８/ＣＨＯまたはｃｈ１４.１８/ＳＰ２/０である、請求項５に記載の医薬組成物。
【請求項７】
抗ＧＤ２抗体が配列番号３の軽鎖アミノ酸配列および/または配列番号４の重鎖アミノ酸配列または、同じもしくは類似の天然活性を有するその断片またはホモログを有する、請求項６に記載の医薬組成物。
【請求項８】
１０、２０、２５、５０、６０、６５、６８、７０、７５、８０、１００、１２０、１５０、２００、２１０、２５０または３００mg/m２/サイクルの用量で患者に投与される、請求項１〜７のいずれか一項に記載の医薬組成物。
【請求項９】
１〜１５、１〜２０、１〜２５、１〜３０または１〜３５mg/m２の１日用量で患者に投与される、請求項１〜８のいずれか一項に記載の医薬組成物。
【請求項１０】
７、７.５、８、９、１０、１２、１３、１４、１５、１６、１７、１７.５、１８、１９、２０、２５、３０、３２または３５mg/m２の１日用量で患者に投与される、請求項１〜９のいずれか一項に記載の医薬組成物。
【請求項１１】
５０、４０、３０または２５mg/m２未満の１日用量で患者に投与される、請求項１〜１０のいずれか一項に記載の医薬組成物。
【請求項１２】
１０mg/m２/日の用量で１０日間連続して、または１５、１７.５、２０または２５mg/m２/日の用量で４日間連続して患者に投与される、請求項１〜１１のいずれか一項に記載の医薬組成物。
【請求項１３】
抗ＧＤ２抗体が２回以上の処置サイクルの間、患者に投与される、請求項１〜１２のいずれか一項に記載の医薬組成物。
【請求項１４】
患者がＧＭ−ＣＳＦで併用処置されない、請求項１〜１３のいずれか一項に記載の医薬組成物。
【請求項１５】
患者がサイトカインで併用処置されない、請求項１〜１４のいずれか一項に記載の医薬組成物。
【請求項１６】
同じ処置サイクルおよび/または同じ全処置期間内において、ＩＬ−２、および/またはＧＭ−ＣＳＦおよび/またはサイトカインにより患者が処置されない、請求項１〜１５のいずれか記載の医薬組成物。
【請求項１７】
副作用が、ＩＬ−２、ＧＭ−ＣＳＦおよびまたは１種以上の他のサイトカインによる併用処置を含む処置スケジュールと比較して、実質的に低下している、請求項１〜１６のいずれか一項に記載の医薬組成物。
【請求項１８】
疼痛の副作用が、ＩＬ−２、ＧＭ−ＣＳＦおよびまたは１種以上の他のサイトカインによる併用処置を含む処置スケジュールと比較して実質的に低下している、請求項１〜１７のいずれか一項に記載の医薬組成物。
【請求項１９】
ＧＤ２陽性がんが神経芽細胞腫、神経膠芽腫、髄芽腫、星状細胞腫、黒色腫、小細胞肺がん、線維形成性小円形細胞腫瘍、骨肉腫、横紋筋肉腫または他の軟部肉腫である、請求項１〜１８のいずれか一項に記載の医薬組成物。
【請求項２０】
患者が原発性難治性または再発性のハイリスク神経芽細胞腫またはハイリスク神経芽細胞腫の微小残存病変に罹患している、請求項１〜１９のいずれか一項に記載の医薬組成物。
【請求項２１】
本発明の、抗ＧＤ２抗体を含む医薬組成物の１日以上の投与の間に投与されるモルヒネの１日用量および/または全モルヒネ処置日のモルヒネの１日用量が、ＩＬ−２、ＧＭ−ＣＳＦおよび/または他のサイトカインを用いる投与スケジュールの間のモルヒネの１日用量よりも低い、請求項１〜２０のいずれか一項に記載の医薬組成物。
【請求項２２】
モルヒネが、抗ＧＤ２抗体を含む医薬組成物が投与される全ての日ではなく、いくつかの日にのみ投与される、請求項１〜２１のいずれか一項に記載の医薬組成物。
【請求項２３】
本発明の、抗ＧＤ２抗体を含む医薬組成物の投与を含む１回以上の処置サイクルの間に投与される、処置サイクルあたりのモルヒネ用量が、ＩＬ−２、ＧＭ−ＣＳＦおよび/または他のサイトカインを用いる投与スケジュールにおける処置サイクルあたりのモルヒネ用量より低い、請求項１〜２２のいずれか一項に記載の医薬組成物。
【請求項２４】
全処置期間のモルヒネ用量が、ＩＬ−２、ＧＭ−ＣＳＦおよび/または他のサイトカインを用いる投与スケジュールにおける全処置期間のモルヒネ用量より低い、請求項１〜２３のいずれか一項に記載の医薬組成物。
【請求項２５】
１種以上の鎮痛剤、特にモルヒネの用量が、全処置期間内、処置サイクル内、処置サイクル内の抗体処置期間の間、処置サイクル内のある抗体処置日から次の抗体処置日まで、および/または１回の処置サイクルから次の処置サイクルまでにおいて減少している、請求項１〜２４のいずれか一項に記載の医薬組成物。
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
１つ以上のＣ２−４アルカンの触媒酸化的脱水素化方法であって、混合金属酸化物酸化的脱水素化触媒系で反応性酸素を複合体化する該触媒系の存在下、前記アルカンの酸化的脱水素化のためのｎ個の予備反応器を含み、ｎは２以上の整数であり、１つ以上の下流の主要酸化反応器は以下のステップを含む上記触媒酸化的脱水素化方法：
ｉ）酸化的脱水素化触媒が反応性酸素を枯渇するまで、フィードストリームの少なくとも一部で酸化的に脱水素化するために、３００℃〜５００℃の温度でかつ３．４４７ｋＰａｇ〜６８９．４７ｋＰａｇ（０．５〜１００ｐｓｉｇ）の圧力で１つ以上のＣ２−４アルカンを含むフィードストリームをｎ−１個の予備反応器のうちの１つ以上に通すステップ；
ｉｉ）フィードストリームを予備反応器からそらし、酸化的脱水素化触媒が予備反応器への反応性酸素が枯渇され、酸化的脱水素化触媒が実質的に反応性酸素で飽和されるステップ；
ｉｉｉ）前記１つ以上のＣ２−４アルカンの酸化的脱水素化のために、３００℃〜５００℃の温度でかつ３．４４７ｋＰａｇ〜６８９．４７ｋＰａｇ（０．５〜１００ｐｓｉｇ）の圧力で、追加の酸素フィードと一緒に前記ｎ−１個の予備反応器からの生成物ストリームを１つ以上の下流の主要反応器に通すステップ；
ｉｖ）対応するＣ２−４アルケン、未反応のＣ２−４アルカン、未反応の酸素および水［蒸気］を含む１つ以上の前記下流の主要反応器からの生成物ストリームを除去し、５０℃〜２７０℃の温度でかつ３．４４７ｋＰａｇ〜６８９．４７ｋＰａｇの圧力で、それを反応性酸素の枯渇された１つ以上の予備反応器に通し、生成物ストリームで酸素を複合体化し、反応性酸素で酸化的脱水素化触媒の反応性酸素飽和を増大させ、酸素を実質的に含まない生成物ストリームを回収するステップ；
ｖ）以下のａ）またはｂ）のいずれかまでステップｉｖ）を継続するステップ：
ａ）生成物ストリームが通される予備反応器とは別の反応性酸素のより枯渇した予備反応器がある；または
ｂ）予備反応器中で酸化的脱水素化触媒が実質的に反応性酸素で飽和される；
ｖｉ）前の反応性酸素枯渇予備反応器からより反応性の酸素枯渇予備反応器に生成物ストリームの流れを切り替えるステップ；および
ｖｉｉ）必要な場合、前記前の反応性酸素枯渇予備反応器で反応性酸素で酸化的脱水素化触媒を完全に飽和するステップ；および
ｖｉｉｉ）前の反応性酸素枯渇予備反応器をライン上につなげるステップ。
【請求項２】
任意の反応器で酸化的脱水素化触媒が、独立して、以下からなる群から選択される請求項１に記載の方法：
ｉ）式ＶｘＭｏｙＮｂｚＴｅｍＭｅｎＯｐの触媒
式中、ＭｅはＴａ、Ｔｉ、Ｗ、Ｈｆ、Ｚｒ、Ｓｂおよびそれらの混合物からなる群から選択される金属であり；および
ｘは、０．１〜３であり、ただし、Ｍｅが存在しない場合は、ｘが０．５より大きいことを条件とする；
ｙは、０．５〜１．５であり；
ｚは、０．００１〜３であり；
ｍは、０．００１〜５であり；
ｎは、０〜２であり
およびｐは、混合酸化物触媒の原子価状態を満足する数であり；および
ｉｉ）式ＭｏａＶｂＮｂｃＴｅｅＯｎの触媒
式中、ａは、０．７５〜１．２５であり；
ｂは、０．１〜０．５であり；
ｃは、０．１〜０．５であり；
ｅは、０．１〜０．３であり；および
ｄは、他の元素の酸化状態によって決定される。
【請求項３】
前記１つ以上の下流反応器が、５００〜３００００／時間、好ましくは、１０００／時間より大きいガス毎時空間速度（ＧＨＳＶ）で動作される、請求項２に記載の方法。
【請求項４】
主要反応器内の触媒が、５ｍ２／ｇ未満の表面積を有する不活性金属酸化物担体上に保持される、請求項３に記載の方法。
【請求項５】
予備反応器が固定床反応器であり、酸化的脱水素化触媒が１００ｍ２／ｇ以上の表面積を有する不活性金属酸化物担体に保持される、請求項４に記載の方法。
【請求項６】
前記１つの下流主要反応器は、固定床反応器、流動または沸騰床反応器、およびセラミック膜反応器からなる群から選択される、請求項５に記載の方法。
【請求項７】
８５％より大きい前記１つ以上のＣ２−４アルケンに対する選択性を有する、請求項６に記載の方法。
【請求項８】
前記１つ以上のＣ２−４アルカンがエタンである、請求項７に記載の方法。
【請求項９】
請求項８に記載の方法であって、前記予備反応器中の触媒が式（ｉｉ）であり、式中、
ａは、０．９０〜１．１０であり；
ｂは、０．２５〜０．３であり；
ｃは、０．１〜０．３であり；
ｅは、０．１〜０．２であり；および
ｄは、他の元素の酸化状態によって決定される、上記方法。
【請求項１０】
ステップ（ｉｖ）において、前記下流主要反応器からの生成物ストリームは、連続して２つ以上の予備反応器に通され、第１の予備反応器が次の第２またはそれ以上の予備反応器中よりも高い酸化的脱水素化触媒の反応性酸素の量を有する、請求項１に記載の方法。